(57)【要約】【課題】本発明はナビゲーション装置に関するもので、使い勝手を良くすることを目的とするものである。【解決手段】そしてこの目的を達成するために本発明は、表示部３と、この表示部３に接続した制御部１２と、この制御部１２に接続した地図情報格納部、および現在位置検出部とを備え、前記制御部１２に、複数地点の写真情報を登録したメモリ１３を接続するとともに、前記地図情報格納部された複数地点には、それぞれ推奨時間データを保持させた。【選択図】図５
2011196920.tif 000002
【特許請求の範囲】
【請求項１】
本体ケースと、この本体ケースに設けた表示部と、この表示部に接続した制御部と、この制御部に接続した地図情報格納部、および現在位置検出部とを備え、前記制御部に、複数地点の写真情報を登録したメモリを接続するとともに、前記地図情報格納部された複数地点には、それぞれ推奨時間データを保持させたナビゲーション装置。
【請求項２】
前記制御部は、選択された写真情報が有する複数地点を、表示部の地図上に表出させるとともに、これら選択された複数地点の案内ルートを表示する構成とした請求項１に記載のナビゲーション装置。
【請求項３】
前記制御部は、選択された写真情報が有する複数地点に、それぞれ、推奨時間と写真撮影時間とを表示させるとともに、この制御部は、各地点において、選択された推奨時間、あるいは写真撮影時間から、複数地点の案内ルートを表示する構成とした請求項２に記載のナビゲーション装置。
【発明の詳細な説明】
【技術分野】
【０００１】
本発明は、ナビゲーション装置に関するものである。
【背景技術】
【０００２】
例えば車両用として用いられているナビゲーション装置の構成は以下のようになっている。
【０００３】
すなわち、本体ケースと、この本体ケースに設けた表示部と、この表示部に接続した制御部と、この制御部に接続した地図情報格納部、および現在位置検出部とを備えた構成となっており、前記地図情報格納部には、地図データと、検索データ等が収納されている。
【０００４】
したがって、目的地点までの案内ルートを検索する時には、目的地点を前記地図情報格納部に設けられた検索データから検索するとともに、この検索地点を地図データ上に反映させ、これにより現在地点から、目的地点までの案内ルートを、表示部上に表示させるようになっている。
【０００５】
近年、以上のような目的地点の検索を、写真情報から選択するものが提案されている（例えば下記特許文献１）。
すなわち、表示部上に複数の写真情報を表示させ、各写真情報の映像を見て、目的地点を設定するようにしているのである。
【０００６】
この場合、写真情報には、地図データも付記されており、表示部に表示された写真情報を、その映像を見て一つ選択すれば、その写真情報の地図データが抽出されるようになっている。
したがって、この地図データにより目的地点を設定し、以降はそこまでの案内ルートを検索し、表示するようになっているのである。
【先行技術文献】
【特許文献】
【０００７】
【特許文献１】特開２００６−９８２５０号公報
【発明の概要】
【発明が解決しようとする課題】
【０００８】
前記従来例の課題は、使い勝手が悪いと言うことである。
すなわち、折角、写真情報の映像から目的地点を選択しても、その写真情報に表現された映像状態が体験できず、ガッカリとしてしまうことも多く、これが使い勝手の悪さを露呈させているのである。
具体的には、例えば非常に美しいと思った映像も、時刻によっては、その表情が変わってしまい、現地に出かけも写真情報に表現された映像状態が体験できず、ガッカリとしてしまうことも多くあるのである。
【０００９】
そこで、本発明は、使い勝手を良くすることを目的とするものである。
【課題を解決するための手段】
【００１０】
そして、この目的を達成するために本発明は、本体ケースと、この本体ケースに設けた表示部と、この表示部に接続した制御部と、この制御部に接続した地図情報格納部、および現在位置検出部とを備え、前記制御部に、複数地点の写真情報を登録したメモリを接続
するとともに、前記地図情報格納部された複数地点には、それぞれ推奨時間データを保持させた、これによって初期の目的を達成するものである。
【発明の効果】
【００１１】
以上のごとく本発明は、本体ケースと、この本体ケースに設けた表示部と、この表示部に接続した制御部と、この制御部に接続した地図情報格納部、および現在位置検出部とを備え、前記制御部に、複数地点の写真情報を登録したメモリを接続するとともに、前記地図情報格納部された複数地点には、それぞれ推奨時間データを保持させたものであるので、使い勝手の良いものとなる。
【００１２】
すなわち、本発明においては、前記制御部に、複数地点の写真情報を登録したメモリを接続するとともに、前記地図情報格納部された複数地点には、それぞれ推奨時間データを保持させたものであるので、選択した写真情報が示す地図データ地点には推奨時間データも表示されるので、この推奨時間データを考慮した案内ルート検索が行え、その結果として目的地到着時に、写真情報の映像と大きく異なり、ガッカリとさせることが少なくなり、使い勝手を向上させることができるのである。
【図面の簡単な説明】
【００１３】
【図１】本発明の実施の形態１にかかるナビゲーション装置を搭載した車両の斜視図
【図２】同ナビゲーション装置の表示部を示す正面図
【図３】同ナビゲーション装置の表示部を示す正面図
【図４】同ナビゲーション装置の表示部を示す正面図
【図５】同制御ブロック図
【図６】同制御フローチャート
【発明を実施するための形態】
【００１４】
以下、本発明の一実施形態にかかるナビゲーション装置を車両に用いた場合を、添付図面を用いて説明する。
（実施の形態１）
図1において、１は車両で、この車両１の室内２前方にはナビゲーション装置３が設置されている。
図２はナビゲーション装置３を示し、表示部４の下方には各種の入力部５が配置されている。
使用者はこの図２においては、目的地点を検索するために入力部５により、表示部４に写真情報を表示させている。
この図２においては、表示部４に表示されている写真情報は映像として、例えば南部大橋６を示しており、ここは特に夜景が美しい場所として知られている。
ちなみにこの図２に示された南部大橋６を撮影した時間は午後８時となっている。
同じように、図２の状態で、次に南部動物園（図３の７）や、南部タワー（図３の８）等が順次表示され、その内から今回は上記南部大橋６、南部動物園（図３の７）、南部タワー（図３の８）を目的地点として選択することとする（図６のＳ１の状態）。
なお、この図２においては、図示していないが、南部大橋６には（撮影時間は午後８時）と表示がされている。
【００１５】
また、南部動物園７には（撮影時間は午後１時）と表示がされている。
さらに、南部タワー８には（撮影時間は午後３時）と表示がされている。
また、図２においては、表示部３には表示されないが、南部大橋６、南部動物園７、南部タワー８の各映像には、それぞれが位置する位置データも付記されている。
【００１６】
したがって、上述のごとく、南部大橋６、南部動物園７、南部タワー８を目的地として
選択すると、図３のごとく表示部３上に、南部大橋６、南部動物園７、南部タワー８が、それが保有する前記位置データと、メモリ１３が保有する地図データから、実位置に分散配置された状態となる（図６のＳ２、Ｓ３）。
また、このように目的地点として選択された南部大橋６、南部動物園７、南部タワー８を示した地図情報格納部（図５のメモリ１３内）には、それぞれの地点における推奨時間データが保持されている。
【００１７】
したがって、図３においては南部大橋６部分に（撮影時間は午後８時、推奨時間は午後６時〜午後１０時まで）と表示がされている。
また、南部動物園７には（撮影時間は午後１時、推奨時間は午前１０時〜午後４時）と表示がされている。
さらに、南部タワー８には（撮影時間は午後３時、推奨時間は午前１０時〜午後４時）と言う表示がされている（図６のＳ４、Ｓ５）。
また、図３において、現在位置は矢印９でその位置と、方向が表示されている。
したがって、先ず、使用者は前記各目的地点（南部大橋６、南部動物園７、南部タワー８）のそれぞれから、撮影時間を選択するか、推奨時間を選択するかの入力を行う（図６のＳ６）。
【００１８】
今回は、南部動物園７と南部タワー８はそれぞれ推奨時間を選択し、南部大橋６は撮影時間を選択した。つまり、南部動物園７と南部タワー８は明るい昼間に訪れ、また南部大橋６は映像でも紹介されている美しい夜景を見ることにした。
【００１９】
そしてこのような、各地点における撮影時間と、推奨時間の選択後に、探索用の入力部１０を押せば、図４の太字の矢印１１のごとく、先ずは南部動物園７、次に南部タワー８、その後、南部大橋６をみる案内ルートが表示されることになる（図６のＳ７、Ｓ８）。
【００２０】
そしてこのようにして設定した案内ルートにより、先ず南部動物園７、次に南部タワー８、その後、南部大橋６をみるようにすれば、目的地到着時に、図２の状態で確認した写真情報の映像とほぼ同じ状態の景色を見ることができ、快適なドライブが行える、つまり、極めて使い勝手の良いものとなるのである。
【００２１】
図５は制御ブロック図を示し、制御部１２には前記入力部５、１０、表示部３、メモリ１３と、現在位置検出部（ＧＰＳ等一般的なものなので図示せず）が接続されている。
メモリ１３は良く知られているように、地図データ以外に上述した推奨時間データも入力されている。
【００２２】
この構成で、上述の案内ルート検索を行う時には、制御部１２により上述のごとく図６のＳ１〜Ｓ８の制御を行うことになる。
なお、本実施形態では、車両用として用いたが、携帯用としても活用できる。
また、メモリ１３に、地図データ、推奨時間データ以外に写真情報も保持させたが、これらを別々のメモリに保持させても良い。
【産業上の利用可能性】
【００２３】
以上のごとく本発明は、本体ケースと、この本体ケースに設けた表示部と、この表示部に接続した制御部と、この制御部に接続した地図情報格納部、および現在位置検出部とを備え、前記制御部に、複数地点の写真情報を登録したメモリを接続するとともに、前記地図情報格納部された複数地点には、それぞれ推奨時間データを保持させたものであるので、使い勝手の良いものとなる。
【００２４】
すなわち、本発明においては、前記制御部に、複数地点の写真情報を登録したメモリを
接続するとともに、前記地図情報格納部された複数地点には、それぞれ推奨時間データを保持させたものであるので、選択した写真情報が示す地図データ地点には推奨時間データも表示されるので、この推奨時間データを考慮した案内ルート検索が行え、その結果として目的地到着時に、写真情報の映像と大きく異なり、ガッカリとさせることが少なくなり、使い勝手を向上させることができるのである。
したがって、ナビゲーション装置として、広く活用が期待される。
【符号の説明】
【００２５】
１    車両
２    室内
３    ナビゲーション装置
４    表示部
５    入力部
６    南部大橋
７    南部動物園
８    南部タワー
９    矢印
１０    入力部
１１    矢印
１２    制御部
１３    メモリ
【図１】
2011196920.tif 000003
【図２】
2011196920.tif 000004
【図３】
2011196920.tif 000005
【図４】
2011196920.tif 000006
【図５】
2011196920.tif 000007
【図６】
2011196920.tif 000008